(57)【要約】【課題】振動による画質の悪化を防止するとともに、メンテナンスを行い易い自動原稿搬送装置及び原稿読取装置を提供する。【解決手段】ＡＤＦは、第２スキャナユニット６０と、インナーガイド１９と、バネ１８と、を備えている。第２スキャナユニット６０は、光学部品を内部に保持するスキャナフレーム１２を備え、原稿の読取を行う。インナーガイド１９は、スキャナフレーム１２に取り付けられ、スキャナフレーム１２の外側の少なくとも一部を覆うとともに、スキャナフレーム１２を支持している。バネ１８は、スキャナフレーム１２とインナーガイド１９の間に、スキャナフレーム１２とインナーガイド１９を離す方向に押圧力を加えるように配置されている。離脱防止部１７２は、バネ１８の押圧力によってスキャナフレーム１２とインナーガイド１９が離脱することを防止している。【選択図】図５
2009267921.tif 000002
【特許請求の範囲】
【請求項１】
原稿を搬送するための原稿搬送経路と、
光学部品を内部に保持するフレームを備え、前記原稿搬送経路を搬送される原稿の読取を行う読取ユニットと、
前記フレームに取り付けられ、当該フレームの外側の少なくとも一部を覆うとともに、当該フレームを支持する支持部材と、
前記フレームと前記支持部材の間に、当該フレームと当該支持部材を離す方向に押圧力を加えるように配置された弾性部材と、
を備えたことを特徴とする自動原稿搬送装置。
【請求項２】
請求項１に記載の自動原稿搬送装置であって、
前記読取ユニットは縮小光学系の読取ユニットであることを特徴とする自動原稿搬送装置。
【請求項３】
請求項１又は２に記載の自動原稿搬送装置であって、
前記弾性部材の押圧力による前記フレームと前記支持部材との離脱を防止する離脱防止部を備えたことを特徴とする自動原稿搬送装置。
【請求項４】
請求項３に記載の自動原稿搬送装置であって、
前記離脱防止部は、対で設けられていることを特徴とする自動原稿搬送装置。
【請求項５】
請求項３又は４に記載の自動原稿搬送装置であって、
前記離脱防止部は、
前記フレーム及び前記支持部材のうち一方に形成された爪部と、
他方において前記爪部と対応する位置に形成され、前記爪部に接触可能な接触部と、
を備えることを特徴とする自動原稿搬送装置。
【請求項６】
請求項１から５までの何れか一項に記載の自動原稿搬送装置であって、
前記支持部材には、前記原稿搬送経路の一部を構成し、前記原稿の搬送をガイドするガイド部が形成されていることを特徴とする自動原稿搬送装置。
【請求項７】
請求項１から６までの何れか一項に記載の自動原稿搬送装置であって、
前記フレームと前記支持部材が着脱可能に構成されていることを特徴とする自動原稿搬送装置。
【請求項８】
請求項１から７までの何れか一項に記載の自動原稿搬送装置であって、
前記フレームは、前記読取ユニットの位置決めをする位置決め部を備えていることを特徴とする自動原稿搬送装置。
【請求項９】
請求項１から８までの何れか一項に記載の自動原稿搬送装置を備えたことを特徴とする原稿読取装置。
【請求項１０】
請求項９に記載の原稿読取装置であって、
前記自動原稿搬送装置によって搬送される原稿の両面をワンパスで読取可能であることを特徴とする原稿読取装置。
【発明の詳細な説明】
【技術分野】
【０００１】
本発明は、自動原稿搬送装置及び前記自動原稿搬送装置を備えた原稿読取装置に関する。詳細には、自動原稿搬送装置及び原稿読取装置が備える読取ユニットを取り付けるための構成に関する。
【背景技術】
【０００２】
従来より、自動原稿搬送装置（ＡＤＦ、オートドキュメントフィーダ）によって原稿を搬送し、原稿搬送経路に原稿を上流から下流まで１回通過させるだけで（いわゆるワンパスで）原稿の両面を読取可能な原稿読取装置が知られている。この構成の原稿読取装置は、ワンパスで原稿の両面を読み取るため、表面用及び裏面用の２つのスキャナユニットを備えている。そして、２つのスキャナユニットのうち１つはＡＤＦ側に、他方は原稿読取装置本体側に備えられる。
【０００３】
この種の原稿読取装置としては、例えば特許文献１が開示する構成のものがある。特許文献１の原稿読取装置は、本体側に縮小光学系の読取ユニットを、ＡＤＦ側に密着光学系の読取ユニットを、それぞれ備えている。
【特許文献１】特開２００２−１０１２５９号公報
【発明の開示】
【発明が解決しようとする課題】
【０００４】
上記のような構成の原稿読取装置においては、ＡＤＦ内部に備えられた読取ユニットは原稿搬送経路の近傍に設置されるため、原稿搬送時の振動にさらされることとなる。特に原稿をＡＤＦ内部に繰り込む際の振動は大きく、読取画質の低下を防止する観点から、この繰込み時の振動を極力読取ユニットに伝えない構成が要求されている。
【０００５】
また、ＡＤＦ内部に備えられた読取ユニットは狭い原稿搬送経路内に配置されているため、メンテナンス時に清掃或いは部品交換などが容易でなく、この点で改善の余地があった。
【０００６】
本願発明は以上の事情に鑑みてされたものであり、その主要な目的は、振動の影響による画質の低下を防止するとともに、メンテナンス作業が行い易い自動原稿搬送装置を提供することにある。
【課題を解決するための手段及び効果】
【０００７】
本発明の解決しようとする課題は以上の如くであり、次にこの課題を解決するための手段とその効果を説明する。
【０００８】
本発明の観点によれば、以下の構成の自動原稿搬送装置が提供される。即ち、この自動原稿搬送装置は、原稿を搬送するための原稿搬送経路と、読取ユニットと、支持部材と、弾性部材とを備える。前記読取ユニットは、光学部品を内部に保持するフレームを備え、前記原稿搬送経路を搬送される原稿の読取を行う。前記支持部材は、前記フレームに取り付けられ、当該フレームの外側の少なくとも一部を覆うとともに、当該フレームを支持する。前記弾性部材は、前記フレームと前記支持部材の間に、当該フレームと当該支持部材を離す方向に押圧力を加えるように配置される。
【０００９】
これにより、支持部材が振動しても、それが弾性部材によって緩衝されるので、フレームに伝わる振動を和らげることができる。従って、振動によって原稿の読取品質が低下してしまうことを防止することができる。
【００１０】
前記の自動原稿搬送装置においては、前記読取ユニットは縮小光学系の読取ユニットであることが好ましい。
【００１１】
これにより、振動に弱いという縮小光学系の欠点を補いつつ、密着光学系の読取ユニットに比べて読取精度が高く読取速度が大きいという縮小光学系の読取ユニットの長所を発揮することができる。従って、高い読取品質を実現した自動原稿搬送装置を提供することができる。
【００１２】
前記の自動原稿搬送装置においては、前記弾性部材の押圧力による前記フレームと前記支持部材との離脱を防止する離脱防止部を備えることが好ましい。
【００１３】
これにより、フレームと支持部材が弾性部材の押圧力によって離脱することを防止し、当該弾性部材による前記振動の緩衝効果を適切に発揮させることができる。
【００１４】
前記の自動原稿搬送装置においては、前記離脱防止部は、対で設けられていることが好ましい。
【００１５】
これにより、支持部材に対してフレームの姿勢が過度に傾くことを離脱防止部によって防止することができる。
【００１６】
前記の自動原稿搬送装置においては、前記離脱防止部は、前記フレーム及び前記支持部材のうち一方に形成された爪部と、他方に前記爪部と対応する位置に形成され、前記爪部に接触可能な接触部と、を備えることが好ましい。
【００１７】
これにより、簡単な構成でフレームと支持部材の離脱防止の効果を得ることができる。また、特別な工具などを用いること無く支持部材とフレームを離脱させることができるため、メンテナンス作業が容易になる。
【００１８】
前記の自動原稿搬送装置においては、前記支持部材には、前記原稿搬送経路の一部を構成し、前記原稿の搬送をガイドするガイド部が形成されていることが好ましい。
【００１９】
これにより、支持部材がフレームを支持する役割と原稿をガイドする役割とを兼ねるので、装置をコンパクトに構成することができるとともに、部品点数を削減してコストを抑えることができる。また、支持部材が原稿の搬送をガイドしているので、当該原稿の搬送によって発生する振動を、弾性部材の緩衝作用で弱めることができる。これにより、原稿の搬送による振動によって読取品質が低下してしまうことを防ぐことができる。
【００２０】
前記の自動原稿搬送装置においては、前記フレームと前記支持部材が着脱可能に構成されていることが好ましい。
【００２１】
これにより、支持部材とフレームが着脱可能であり、フレームは支持部材によって支持されているので、メンテナンス等の際にフレームを支持部材から取り外すことにより、容易に読取ユニットを取り外すことができる。従ってメンテナンス性が向上する。
【００２２】
前記の自動原稿搬送装置においては、前記フレームは、前記読取ユニットの位置決めをする位置決め部を備えていることが好ましい。
【００２３】
これにより、支持部材からフレームへの振動の伝達の影響を防止しながら、読取ユニットを原稿の読取位置に正確に位置決めできるので、読取品質を向上させることができる。
【００２４】
本発明の別の観点によれば、前記の自動原稿搬送装置を備える原稿読取装置が提供される。
【００２５】
これにより、振動による読取品質の低下を防止し、高い読取精度を実現した原稿読取装置を提供することができる。
【００２６】
前記の原稿読取装置は、前記自動原稿搬送装置によって搬送される原稿の両面をワンパスで読取可能であることが好ましい。
【００２７】
即ち、この構成の原稿読取装置が備える自動原稿搬送装置内に配置された読取ユニットは、原稿搬送時の振動にさらされるため、本発明を適用するのに特に好適である。
【発明を実施するための最良の形態】
【００２８】
以下、本発明の好適な実施形態について図面を参照しながら説明する。図１は本発明の一実施形態に係る自動原稿搬送装置２５を備えた原稿読取装置としてのイメージスキャナ装置１０を含む、コピーファクシミリ複合機（複合機）２０の外観斜視図である。図２は、本実施形態の自動原稿搬送装置２５及びイメージスキャナ装置１０の構成を示した正面断面図である。
【００２９】
図１に示すコピーファクシミリ複合機２０は、ブックスキャナ及びオートドキュメントフィードスキャナとして機能するイメージスキャナ装置１０を、当該複合機２０の上部に備えている。また、複合機２０は、コピー部数、ファクシミリ送信先及び原稿読取等を指示するための操作パネル７７を備える。
【００３０】
更に、複合機２０は、記録媒体としての用紙に画像を形成する画像形成部等を内蔵した本体７８と、前記用紙を順次供給する給紙カセット７９と、を備えている。この本体７８は、通信回線を介して画像データを伝送するための図略の送受信部等を備える。
【００３１】
次に図２を参照して、前記複合機２０が備えるイメージスキャナ装置１０について説明する。図２に示すように、イメージスキャナ装置１０は、プラテンガラス２２と原稿台カバー２１とを備えている。この原稿台カバー２１には自動原稿搬送装置（オートドキュメントフィーダ、ＡＤＦ）２５が備えられている。また、イメージスキャナ装置１０は、原稿の画像を読み取るための第１スキャナユニット５０及び第２スキャナユニット６０を備えている。
【００３２】
このイメージスキャナ装置１０をオートドキュメントフィードスキャナとして使用する場合は、前記ＡＤＦ２５によって原稿を１枚ずつ搬送する。そして、原稿の表側の面（第１面）の画像は第１スキャナユニット５０によって読み取られ、原稿の裏側の面（第２面）の画像は第２スキャナユニット６０によって読み取られる。
【００３３】
一方、イメージスキャナ装置１０をブックスキャナとして使用する場合は、読み取るべきブック原稿をユーザがプラテンガラス２２上に載置して、その上から原稿台カバー２１によって押圧して、ブック原稿が動かないように固定する。この状態で、第１スキャナユニット５０によって原稿の画像を読み取ることができるようになっている。
【００３４】
図２に示すように、前記原稿台カバー２１が備えるＡＤＦ２５は、原稿台カバー２１の上部に設けられた原稿トレイ２３と、この原稿トレイ２３の下方に設けられた排出トレイ２４と、を備える。また、ＡＤＦ２５は、ＡＤＦ本体部１６と、その上側を覆うカバー部１１とを備えている。このカバー部１１は、図３の正面断面図に示すように、カバー回動軸４３を中心にして上方に回動可能であり、前記カバー回動軸４３を介してＡＤＦ本体部１６に支持されている。
【００３５】
図２に示すように、前記原稿台カバー２１の内部には、原稿トレイ２３と排出トレイ２４とを繋ぐ湾曲状（Ｕ字状）の原稿搬送経路３０が構成されている。この構成で、原稿トレイ２３に重ねてセットされた原稿は、１枚ずつ分離されて前記原稿搬送経路３０に沿って搬送され、排出トレイ２４へ排出される。原稿の読取開始等の指示は、図１に示す操作パネル７７によって行うことができる。
【００３６】
次に、原稿搬送経路３０に沿って、ＡＤＦ２５の各部の構成を詳細に説明する。
【００３７】
図２に示すように、原稿トレイ２３から原稿搬送経路３０に原稿が供給される箇所にはピックアップローラ（繰込み部）３１が配置されている。このピックアップローラ３１の下流側には分離ローラ３２が備えられ、この分離ローラ３２に対向して対向ローラ３７が配置されている。
【００３８】
このピックアップローラ３１は、分離ローラ３２の軸４５を中心にして、図中で実線で示す位置から２点鎖線で示す位置まで回動可能に構成されている。通常時においては、ピックアップローラ３１は実線で示す上側の位置に保持されている。一方、原稿を繰り込む際には、ピックアップローラ３１が下方に回動され、原稿トレイ２３に重ねてセットされている原稿のうち、最上層にある原稿の端部に接触する。この構成で、ピックアップローラ３１が駆動されることによって、原稿トレイ２３上の最上層の原稿がＡＤＦ２５内に繰り込まれる。
【００３９】
また、このピックアップローラ３１に対向するように、インナーガイド１９が配置されている。このインナーガイド１９は、原稿搬送経路３０においてピックアップローラ３１から後述のレジストローラ３９までの範囲に配置されるとともに、搬送中の原稿に接触して当該原稿の向きを案内するガイド部として形成されている。そしてこのインナーガイド１９は、レジストローラ３９の支軸４１に支持されている。
【００４０】
原稿はピックアップローラ３１の駆動によって分離ローラ３２へ送られ、当該分離ローラ３２と、前記インナーガイド１９側に配置された対向ローラ３７との間にニップされる。そして原稿は、回転駆動する分離ローラ３２によって１枚ずつ分離され、原稿搬送経路３０の下流側へ搬送される。
【００４１】
分離ローラ３２の下流側には、前記インナーガイド１９側に備えられたレジストローラ３９と、このレジストローラ３９と対になる対向ローラと、が配置されている。レジストローラ３９は、前記対向ローラとともに、分離ローラ３２によって搬送されてくる原稿の先頭側を一時的に止めて弛ませ、所定時間後に弛みを除去しつつ下流側に搬送する。これにより、原稿の斜行が矯正される。
【００４２】
レジストローラ３９の下流側には、複数の搬送ローラ３３，３４，３５が設けられる。また、この搬送ローラ３３，３４，３５のそれぞれに対向するようにローラが配置されている。前記レジストローラ３９の駆動によって下流側へ搬送された原稿は、搬送ローラ３３，３４，３５とそれらに対向するローラとによりニップされて、更に下流側へ搬送される。
【００４３】
２つの搬送ローラ３４，３５の間には第１原稿読取位置８０が設定されており、この第１原稿読取位置８０にはプラテンローラ２９が配置されている。そして、この第１原稿読取位置８０を通過する原稿は、後述の第１スキャナユニット５０によって走査され、読み取られる。
【００４４】
第１スキャナユニット５０について説明する。この第１スキャナユニット５０は本体７８側に設置されるとともに、ＡＤＦ２５及びプラテンガラス２２の下方に配置されている。また、この第１スキャナユニット５０は、光源５１と、反射ミラー５２，５３，５４と、集光レンズ５５と、電荷結合素子（ＣＣＤ）５６と、を備えている。光源５１は前記ＡＤＦ２５の前記第１原稿読取位置８０（又はプラテンガラス２２）に対して光を照射し、反射ミラー５２，５３，５４は原稿からの反射光を反射させる。そしてこの反射光を集光レンズ５５で収束させて、この収束光がＣＣＤ５６の部分で結像するように構成されている。
【００４５】
第１スキャナユニット５０の光源５１及び反射ミラー５２等は移動可能に構成されている。前述したようにイメージスキャナ装置１０をブックスキャナとして使用する場合は、第１スキャナユニット５０の光源５１及び反射ミラー５２等をプラテンガラス２２に沿って移動させる。これによって、プラテンガラス２２上に載置された原稿を読み取ることができるようになっている。
【００４６】
一方、イメージスキャナ装置１０をオートドキュメントフィードスキャナとして使用する場合は、光源５１及び反射ミラー５２等は、図２に示すように、前記第１原稿読取位置８０に対向する位置まで移動させて静止させておく。この状態でＡＤＦ２５を駆動することにより、原稿搬送経路３０を搬送されて第１原稿読取位置８０を通過する原稿の表側の面を、第１スキャナユニット５０が走査して読み取ることができる。
【００４７】
第１スキャナユニット５０において、原稿からの反射光は前述のとおりＣＣＤ５６へ導かれて結像し、ＣＣＤ５６は原稿の画像情報に応じた電気信号を出力する。この信号は適宜変換処理され、複合機２０が備える画像形成部に送信される。そして、この送信された画像情報が画像形成部によって記録媒体としての用紙に転写されることで、複合機２０のコピー機能等が実現される。
【００４８】
原稿搬送経路３０において、前記第１原稿読取位置８０の下流側（搬送ローラ３５の下流側）には第２原稿読取位置９０が設定されている。この第２原稿読取位置９０を通過する原稿の裏面は、次に説明する第２スキャナユニット６０によって走査されて読み取られる。
【００４９】
第２スキャナユニット（読取ユニット）６０について説明する。この第２スキャナユニット６０は、Ｕ字状に構成された前記原稿搬送経路３０に内側から接するように、当該原稿搬送経路３０の内側に設置されている。また、第２スキャナユニット６０は、ＡＤＦ２５の内部に保持されるスキャナフレーム（フレーム）１２を備えている。このスキャナフレーム１２は、内部の光学系を構成する部品等を支持するとともに、その外側を覆って保護するように構成されている。
【００５０】
スキャナフレーム１２の底部（原稿搬送経路３０に接する部分）には、原稿の裏面を読み取るための読取ガラス（読取部分）４２が備えられる。この読取ガラス４２は、前記第２原稿読取位置９０に対応する位置に配置される。
【００５１】
また、スキャナフレーム１２の前記第２原稿読取位置９０に対向するように、プラテンローラ３８がＡＤＦ２５本体部分に配置されている。この構成で、前記搬送ローラ３５により搬送された原稿がプラテンローラ３８の部分に差し掛かると、当該原稿はプラテンローラ３８により搬送されながらその裏側の面が走査されて読み取られる。
【００５２】
次にスキャナフレーム１２について説明する。スキャナフレーム１２には、前記のインナーガイド（支持部材）１９が取り付けられている。前述したようにこのインナーガイド１９は支軸４１によって支持されており、第２スキャナユニット６０は、このインナーガイド１９を介してＡＤＦ２５内の所定の位置に保持されている。
【００５３】
また、スキャナフレーム１２の底部には、前記排出ローラ３６に対向するようにして配置された接触ローラ４０が備えられている。この構成で、第２スキャナユニット６０で読み取られた原稿は、前記接触ローラ４０と排出ローラ３６との間でニップされ、排出ローラ３６の駆動によって排出トレイ２４へ導かれる。
【００５４】
次に、第２スキャナユニット６０において構成される縮小光学系について説明する。図２に示すように、第２スキャナユニット６０は、光源６１と、反射ミラー６２，６３，６４，６５と、集光レンズ６７と、イメージセンサとしての電荷結合素子（ＣＣＤ）５７と、を備えている。これらの部品は、何れもスキャナフレーム１２の内部に配置されている。
【００５５】
光源６１は読取ガラス４２を臨むように配置されており、当該読取ガラス４２を介して第２原稿読取位置９０に光を照射することができる。反射ミラー６２，６３，６４，６５は、原稿からの反射光を更に複数回折り返すように反射させ、集光レンズ６７に導くように構成されている。集光レンズ６７は光を収束させてＣＣＤ５７の部分に結像させ、ＣＣＤ５７は、第１スキャナユニット５０におけるＣＣＤ５６と同様に、原稿の画像情報に応じた電気信号を出力する。この信号も適宜変換処理され、複合機２０が備える画像形成部に送信される。
【００５６】
以上のようにして２つの原稿読取位置で表裏両面の内容を読み取られた原稿は、排出ローラ３６と接触ローラ４０によってニップされることにより搬送され、排出トレイ２４へ排出される。このようにして、原稿搬送経路３０に原稿を１回通過させるだけで両面読取が可能な構成の、いわゆるワンパス方式のイメージスキャナ装置１０が構成されている。
【００５７】
次に、図４等を参照して、第２スキャナユニット６０及びインナーガイド１９の構成について更に詳細に説明する。図４は第２スキャナユニット６０及びインナーガイド１９を斜め上方から見た様子を概略的に示した外観斜視図である。
【００５８】
前述したように、スキャナフレーム１２にはインナーガイド１９が取り付けられている。このインナーガイド１９は樹脂によって形成されており、図４に示すように、前記スキャナフレーム１２の上側を広範囲にわたって覆うようにカバー状に構成されている。
【００５９】
このインナーガイド１９の上側の面は、搬送される原稿をガイドするガイド部１７として形成されており、このガイド部１７には前記の対向ローラ３７と、レジストローラ３９が配置されている。
【００６０】
そして、このインナーガイド１９に第２スキャナユニット６０のスキャナフレーム１２を取り付けることで、スキャナフレーム１２がインナーガイド１９とともに前記支軸４１を中心にして回動できるようになっている。即ち、原稿が詰まった時、清掃時、或いは部品交換時などにおいては、第２スキャナユニット６０を上方に回動して原稿搬送経路３０を開放することにより、詰まった原稿を取り除く作業等ができるように構成されている。これによりメンテナンス性が良好になっている。
【００６１】
以下、この点について具体的に説明する。前記スキャナフレーム１２は、通常の状態では図２に示すように原稿搬送経路３０の内側に位置しており、ほぼ水平姿勢となっている。なお、ここでいう「水平姿勢」とは、ＡＤＦ２５（イメージスキャナ装置１０）の設置面に平行な姿勢を意味する。即ち、この図２の状態において、原稿トレイ２３から供給される原稿の搬送を、スキャナフレーム１２に取り付けられたインナーガイド１９の上面によって適切にガイドすることができるように配置されている。この状態では、前記読取ガラス４２のガラス面（読取面）は直下方を向いており、また、前記接触ローラ４０は排出ローラ３６との間で原稿を押圧可能な状態である。
【００６２】
そして、第２スキャナユニット６０のメンテナンス等を行う際には、最初に、ＡＤＦ２５のカバー部１１を持ち上げるように上方向に回動させて、図３に示すようにカバー部１１を開いた状態とする。これにより、レジストローラ３９及び分離ローラ３２のニップが解除されるとともに、原稿搬送経路３０の上流側半部が開放される。
【００６３】
次に、スキャナフレーム１２を持ち上げることで、図２の位置（閉じ位置）から前記支軸４１を中心に回動させて上方向に引き出し、図３に示す位置（開き位置）まで移動させる。この回動に伴って、前記接触ローラ４０は排出ローラ３６との接触を解除し、前記原稿搬送経路３０から離間する。このようにスキャナフレーム１２を開き位置まで回動させることで、図３に示すようにスキャナフレーム１２の底面側を露出させ、また、原稿搬送経路３０の下流側の大部分を開放させることができる。
【００６４】
更に、図４に示すようにスキャナフレーム１２の下部には位置決め部５９が形成されている。この位置決め部５９は、プラテンローラ３８の軸に接触することで、スキャナフレーム１２の位置決めが可能に構成されている。この構成により、スキャナフレーム１２を前記閉じ位置に回動させて原稿を読み取る際、第２スキャナユニット６０が支軸４１を中心に揺動しないように保持することができる。また、第２原稿読取位置９０に対して読取ガラス４２を正確に位置決めできるので、原稿の読取を適切に行うことができる。
【００６５】
次に、インナーガイド１９に対するスキャナフレーム１２の取付け構造について説明する。スキャナフレーム１２とインナーガイド１９との間には、図４に示すように弾性部材としてのバネ１８が配置されている。このバネ１８は、スキャナフレーム１２内部の光学部品の光軸を邪魔しないよう、装置正面側と背面側の適宜の位置に配置されている。
【００６６】
また、スキャナフレーム１２とインナーガイド１９を連結するように、複数の離脱防止部１７２〜１７５が設置されており、これによってスキャナフレーム１２とインナーガイド１９が分離することを防止している。
【００６７】
次に図５及び図６等を参照して、インナーガイド１９に対するスキャナフレーム１２の取付け構造について更に詳細に説明する。図５はスキャナフレーム１２及びインナーガイド１９の正面断面図、図６はスキャナフレーム１２及びインナーガイド１９の側面断面図である。
【００６８】
図５に示すように、バネ１８はインナーガイド１９とスキャナフレーム１２との間に配置されている。このバネ１８は圧縮コイルバネとして構成されており、インナーガイド１９とスキャナフレーム１２とが互いに離れるような方向に押圧力を加えるように配置されている。
【００６９】
具体的に説明すると、インナーガイド１９にはバネ取付部１９１が形成され、スキャナフレーム１２にもバネ取付部１２１が形成されている。インナーガイド１９側のバネ取付部１９１は、例えば十字リブの先端に円柱状の部材が形成された構成となっており、当該円柱状の部材をバネ１８の内側に嵌合させることで、当該バネ１８を所定位置で且つ所定方向に向けて保持できるように構成されている。またスキャナフレーム１２側のバネ取付部１２１は、例えばバネ１８を差込可能な円形の凹部として形成されており、当該バネ１８を所定の位置に保持できるように構成されている。この構成により、バネ１８を押し縮めた状態で所定の位置に保持し、スキャナフレーム１２とインナーガイド１９とが互いに離れる方向の押圧力を当該スキャナフレーム１２及びインナーガイド１９に加えることができる。
【００７０】
また、インナーガイド１９とスキャナフレーム１２とは、４箇所に配置される離脱防止部１７２〜１７５を介して互いに連結されており、これによってスキャナフレーム１２がインナーガイド１９から分離することを阻止している。
【００７１】
最初に、スキャナフレーム１２の右側面（前記原稿トレイ２３及び排出トレイ２４に近い側の面）に配置された２つの離脱防止部１７２，１７３について説明する。この２つの離脱防止部１７２，１７３は、装置正面側と背面側（原稿幅方向の一側と他側）で互いに対となる位置に配置されている。なお、本明細書において「原稿の幅方向」とは、原稿の厚み方向に直交し、かつ原稿搬送方向に直交する方向を意味する。離脱防止部１７２は、スキャナフレーム１２に一体的に形成された爪部１２２と、インナーガイド１９に形成された接触面１９２と、を備えている。同様に、離脱防止部１７３は、スキャナフレーム１２に一体的に形成された爪部１２３と、インナーガイド１９に配置された接触面１９３と、を備えている。
【００７２】
離脱防止部１７２において、前記爪部１２２は図５に示すように、スキャナフレーム１２の縁部の一部を上方に延出させた上で、その先端部に断面矩形状の扁平な突出部を形成した構成となっている。一方、インナーガイド１９には、ほぼ水平向きに形成された矩形状の貫通孔１８２が形成されており、この貫通孔１８２の下縁部に接触面１９２が構成されている。そして、この貫通孔１８２に、前記爪部１２２の前記突出部が水平な向きに挿入されている。
【００７３】
爪部１２２と貫通孔１８２との間には若干の遊びが形成されており、貫通孔１８２の内部で爪部１２２がある程度移動できるように構成されている。従って、この遊びの範囲内で、スキャナフレーム１２はインナーガイド１９に対して相対的に移動することができる。
【００７４】
この構成で、前記バネ１８の押圧力によってスキャナフレーム１２がインナーガイド１９から離れる向きに移動していくと、やがて図５に示すように前記接触面１９２が爪部１２２に接触し、それ以上のスキャナフレーム１２の移動が阻止される。この爪部１２２の引っ掛かりにより、スキャナフレーム１２とインナーガイド１９が上下に離脱（分離）することを阻止できるように構成されている。
【００７５】
反対側の離脱防止部１７３も前記離脱防止部１７２と同様に、下縁部に接触面１９３を構成した貫通孔１８３が形成されており、この貫通孔１８３内で爪部１２３がある程度移動することができる。そして、爪部１２３が前記接触面１９３に引っ掛かることにより、スキャナフレーム１２のインナーガイド１９からの離脱を阻止することができる。
【００７６】
次に、残りの２つの離脱防止部１７４，１７５について説明する。この２つの離脱防止部１７４，１７５は、レジストローラ３９の支軸４１の端部近傍であって、装置正面側と背面側（原稿幅方向の一端と他端）で互いに対となる位置に配置されている。離脱防止部１７４は、スキャナフレームに一体的に形成された爪部１２４と、インナーガイド１９に形成された接触面１９４と、を備えている。同様に、離脱防止部１７５は、スキャナフレーム１２に一体的に形成された爪部１２５と、インナーガイド１９に形成された接触面１９５と、を備える。
【００７７】
離脱防止部１７４において、前記爪部１２４は図４に示すように、スキャナフレーム１２の原稿幅方向の一端側を向く面に形成されている。また、この爪部１２４は、水平に突出する断面矩形状の扁平な突出部として形成されている。一方、インナーガイド１９には、前記爪部１２４に対応する位置に爪収納部１８４が一体的に形成されている。この爪収納部１８４は中空の角筒状に形成されており、その底部には前記接触面１９４が形成されている。そして、この爪収納部１８４の内部に爪部１２４が水平向きに挿入されている。
【００７８】
前記爪収納部１８４は縦に細長く形成されており、爪収納部１８４の内部で爪部１２４がある程度移動できるように構成されている。従って、この爪部１２４の移動可能範囲内で、スキャナフレーム１２はインナーガイド１９に対して相対的に移動することができる。
【００７９】
この構成で、前記バネ１８の押圧力によってスキャナフレーム１２がインナーガイド１９から離れる向きに移動していくと、やがて爪収納部１８４の接触面１９４が爪部１２４に接触し、それ以上のスキャナフレーム１２の移動が阻止される。この爪部１２４の引っ掛かりにより、スキャナフレーム１２とインナーガイド１９が上下に離脱（分離）することを阻止できるように構成されている。
【００８０】
反対側の離脱防止部１７５も前記離脱防止部１７４と同様に、底部に接触面１９５を形成した爪収納部１８５が形成されており、この爪収納部１８５に爪部１２５が挿入されている。この爪部１２５は爪収納部１８５に沿ってある程度移動することができる。そして、爪部１２５が前記接触面１９５に引っ掛かることにより、スキャナフレーム１２のインナーガイド１９からの離脱を阻止することができる。
【００８１】
上記のように、それぞれの離脱防止部１７２〜１７５において、爪部１２２〜１２５は貫通孔１８２，１８３又は爪収納部１８４，１８５の内部で若干のストローク範囲内で移動可能に構成されている。そして、スキャナフレーム１２が位置決め部５９によってＡＤＦ本体部１６側に位置決めされたときには、各爪部１２２〜１２５が接触面１９２〜１９５から若干離間した状態（浮いた状態）となるように構成されている。
【００８２】
これにより、インナーガイド１９に加わった衝撃及び振動がスキャナフレーム１２側に伝達されるのを効果的に抑制することができる。即ち、原稿の搬送による衝撃及び振動がインナーガイド１９に加わった場合でも、当該振動は離脱防止部１７２〜１７５（接触面１９２〜１９５）を介してスキャナフレーム１２に伝播されることはない。インナーガイド１９の振動は必ずバネ１８を経由してスキャナフレーム１２に伝達されることになるので、その振動はバネ１８の弾性によって大幅に緩衝されることになる。これにより、スキャナフレーム１２に振動が直接伝わることを防止でき、画質の低下を防ぐことができる。
【００８３】
また、前述したように、原稿の繰込み時においては、ピックアップローラ３１は軸４５を中心に回動して原稿トレイ２３にセットされている原稿の端部に接触するが、この回動による接触の際の衝撃は、原稿の搬送の際に発生する振動の中でも特に大きい。この点、本実施形態では、上記のようにピックアップローラ３１に対向するようにインナーガイド１９が配置されており、前記回動による衝撃はインナーガイド１９によって受け止められる。これにより、ピックアップローラ３１の繰込み動作による強い衝撃がスキャナフレーム１２に直接伝わることを防止し、画質の低下を防いでいる。
【００８４】
また、前記離脱防止部１７２〜１７５は複数形成されており、それぞれが対になっている。具体的には、２つの離脱防止部１７２，１７３はそれぞれ正面側と背面側（原稿幅方向の一端側と他端側）で対の関係をなすようにほぼ対称的に配置されており、残りの２つの離脱防止部１７４，１７５についても同様である。このように離脱防止部１７２〜１７５が対になって設けられているので、インナーガイド１９に対してスキャナフレーム１２が位置決めに通常必要な角度の範囲内で傾くことを許容しつつ、スキャナフレーム１２が過度に傾いてしまうことを防止することができる。
【００８５】
また、前述したようにインナーガイド１９は樹脂で形成されており、ある程度弾性変形が可能に構成されている。従って、図３の開き位置にスキャナフレーム１２を回動させた状態で、作業者が手でインナーガイド１９を変形させることで、爪部１２２〜１２５を外し、これによりスキャナフレーム１２をＡＤＦ２５から取り外すことができる。このように工具等を用いることなく簡単にスキャナフレーム１２を取り外すことができるので、第２スキャナユニット６０の清掃或いは部品交換などのメンテナンスが行い易くなっている。
【００８６】
以上に説明したように、本実施形態のイメージスキャナ装置１０は、ＡＤＦ２５を備えており、このＡＤＦ２５によって搬送される原稿の両面をワンパスで読取可能である。そして、本実施形態のＡＤＦ２５は、以下のように構成されている。即ち、このＡＤＦ２５は、原稿を搬送するための原稿搬送経路３０と、第２スキャナユニット６０と、インナーガイド（支持部材）１９と、バネ（弾性部材）１８と、を備えている。第２スキャナユニット６０は、光学部品を内部に保持するスキャナフレーム１２を備え、原稿搬送経路３０を搬送される原稿の読取を行う。インナーガイド１９は、スキャナフレーム１２に取り付けられ、当該スキャナフレーム１２の外側の少なくとも一部を覆うとともに、当該スキャナフレーム１２を支持している。バネ１８は、スキャナフレーム１２とインナーガイド１９の間に、当該スキャナフレーム１２と当該インナーガイド１９を離す方向に押圧力を加えるように配置されている。
【００８７】
即ち、ワンパスで原稿両面の読取可能なイメージスキャナ装置１０が備えるＡＤＦ２５内に配置された第２スキャナユニット６０は、原稿搬送時の振動にさらされる。この点、上記の構成により、インナーガイド１９が振動しても、その振動がバネ１８によって緩衝されるので、スキャナフレーム１２に伝わる振動を和らげることができる。従って、振動によって原稿の読取品質が低下してしまうことを防止することができる。
【００８８】
また本実施形態のＡＤＦ２５においては、第２スキャナユニット６０は縮小光学系の読取ユニットである。
【００８９】
これにより、振動に弱いという縮小光学系の欠点を補いつつ、密着光学系の読取ユニットに比べて読取精度が高く読取速度が大きいという縮小光学系の読取ユニットの長所を発揮することができる。従って、高い読取品質を実現した自動原稿搬送装置を提供することができる。
【００９０】
また本実施形態のＡＤＦ２５においては、離脱防止部１７２〜１７５は、バネ１８の押圧力によるスキャナフレーム１２とインナーガイド１９との離脱を防止している。
【００９１】
これにより、スキャナフレーム１２とインナーガイド１９が離脱することを防止し、バネ１８による振動の緩衝効果を適切に発揮させることができる。
【００９２】
また本実施形態のＡＤＦ２５においては、前記離脱防止部１７２〜１７５は対で設けられている。
【００９３】
これにより、インナーガイド１９に対してスキャナフレーム１２の姿勢が過度に傾くことを離脱防止部１７２〜１７５によって防止することができる。
【００９４】
また本実施形態のＡＤＦ２５においては、前記離脱防止部１７２〜１７５は、スキャナフレーム１２に形成された爪部１２２〜１２５と、インナーガイド１９において前記爪部１２２〜１２５にそれぞれ接触可能に形成された接触面１９２〜１９５と、を備えている。
【００９５】
これにより、簡単な構成でインナーガイド１９とスキャナフレーム１２の離脱防止の効果を得ることができる。また、特別な工具などを用いること無く、インナーガイド１９とスキャナフレーム１２を離脱させることができるため、メンテナンス作業が容易になる。
【００９６】
また本実施形態のＡＤＦ２５においては、インナーガイド１９には、原稿搬送経路３０の一部を構成し、原稿の搬送をガイドするガイド部１７が形成されている。
【００９７】
これにより、インナーガイド１９がスキャナフレーム１２を支持する役割と原稿をガイドする役割とを兼ねるので、装置をコンパクトに構成することができるとともに、部品点数を削減してコストを抑えることができる。また、インナーガイド１９が原稿の搬送をガイドしているので、当該原稿の搬送によって発生する振動を、バネ１８の緩衝作用で弱めることができる。これにより、原稿の搬送による振動によって読取品質が低下してしまうことを防ぐことができる。
【００９８】
また本実施形態のＡＤＦ２５においては、スキャナフレーム１２とインナーガイド１９が着脱可能に構成されている。
【００９９】
即ち、インナーガイド１９とスキャナフレーム１２が着脱可能であり、スキャナフレーム１２はインナーガイド１９によって支持されている。これにより、メンテナンス等の際にスキャナフレーム１２をインナーガイド１９から取り外すことにより、容易に第２スキャナユニット６０を取り外すことができる。従ってメンテナンス性が向上する。
【０１００】
また本実施形態のＡＤＦ２５においては、スキャナフレーム１２は、第２スキャナユニット６０の位置決めをする位置決め部５９を備えている。
【０１０１】
これにより、インナーガイド１９の振動の影響をバネ１８によって抑制しつつ、第２スキャナユニット６０を原稿の読取位置に正確に位置決めできるため、読取品質を向上させることができる。
【０１０２】
以上に本発明の好適な実施形態について説明したが、上記の構成は例えば以下のように変更することができる。
【０１０３】
上記実施形態では、バネ１８によってインナーガイド１９からスキャナフレーム１２を下向きに押圧する構成を示したが、これに代えて、或いはこれに加えて、インナーガイド１９からスキャナフレーム１２を上向きに押圧する構成に変更することができる。例えば、上記のバネ１８に加えて更に、爪部１２４と接触面１９４との間、及び爪部１２５と接触面１９５との間に、別のバネ（例えば圧縮コイルバネ）をそれぞれ配置することができる。この別のバネは、スキャナフレーム１２とインナーガイド１９を離すように配置される。このように構成すると、スキャナフレーム１２は、上記バネ１８によって下向きに押圧されるとともに、前記別のバネによって上向きに押圧される。このように、スキャナフレーム１２がバネ（弾性部材）によって上下方向に押圧されるように構成しても、上記実施形態同様にバネの緩衝効果によってスキャナフレーム１２に伝わる振動を和らげることができる。
【０１０４】
弾性部材としては、圧縮コイルバネである前記バネ１８に代えて、例えば板バネなど適宜の弾性部材を用いることができる。
【０１０５】
爪部はスキャナフレーム１２側に形成する構成に代えて、インナーガイド１９側に形成しても良い。この場合はスキャナフレーム１２側に接触面（接触部）を形成することにより、上記の実施形態と同様の効果を得ることができる。
【０１０６】
爪部及び接触部が形成される数、位置等は任意であり、適宜の数で適宜の位置に形成することができる。また、爪部及び接触部の形状は上記の構成に限らず、本発明の効果を達成できる形状であれば任意の形状に形成することができる。
【０１０７】
また離脱防止部としては、上記のように爪部と接触部とする構成に代えて、例えばネジ止めとする構成に変更することができる。ただし、簡単な構成でインナーガイド１９とスキャナフレーム１２とが相対移動可能とするとともに、スキャナフレーム１２の取外しを容易にしてメンテナンス性を向上させるという観点からは、上記のように爪部と接触部によって構成されることが好ましい。
【０１０８】
支持部材は原稿をガイドするガイド部として構成されなくても良く、例えばスキャナフレーム及び支持部材とは独立した部材によって原稿をガイドしても良い。これによれば原稿の搬送による振動をスキャナフレームに対して更に伝わりにくくすることができる。ただし、別の部材を設けることにより装置が縦方向に大きくなってしまうので、装置のコンパクト化の観点からは、支持部材がガイド部を兼ねることが好ましい。
【０１０９】
本発明は、縮小光学系の読取ユニットだけでなく、密着光学系の読取ユニットにも適用することができる。ただし、縮小光学系の読取ユニットは振動の影響を受け易いため、本発明を適用することが特に好適である。
【０１１０】
前記コピーファクシミリ複合機２０に代えて、例えば、コピー機、ファクシミリ装置等にも、本発明のイメージスキャナ装置１０を適用することができる。
【０１１１】
上記実施形態ではイメージスキャナ装置１０は複合機２０の一部として備えられているが、この構成に代えて、単体のイメージスキャナ装置として構成することができる。
【図面の簡単な説明】
【０１１２】
【図１】本発明の一実施形態に係る自動原稿搬送装置とイメージスキャナ装置を含むコピーファクシミリ複合機の様子を示した外観斜視図。
【図２】本実施形態の自動原稿搬送装置とイメージスキャナ装置の構成を示した正面断面図。
【図３】第２スキャナユニット及びインナーガイドを回動させたときの様子を示した正面断面図。
【図４】第２スキャナユニット及びインナーガイドの概略的な構成を示した外観斜視図。
【図５】第２スキャナユニット及びインナーガイドの正面断面図。
【図６】第２スキャナユニット及びインナーガイドの側面断面図。
【符号の説明】
【０１１３】
１０  イメージスキャナ装置（原稿読取装置）
１２  スキャナフレーム（フレーム）
１７  ガイド部
１８  バネ（弾性部材）
１９  インナーガイド（支持部材）
２５  ＡＤＦ（自動原稿搬送装置）
３１  ピックアップローラ（繰込み部）
５９  位置決め部
６０  第２スキャナユニット（読取ユニット）
９０  第２原稿読取位置（原稿読取位置）
１２２，１２３，１２４，１２５  爪部
１７２，１７３，１７４，１７５  離脱防止部
１９２，１９３，１９４，１９５  接触面（接触部）
【図１】
2009267921.tif 000003
【図２】
2009267921.tif 000004
【図３】
2009267921.tif 000005
【図４】
2009267921.tif 000006
【図５】
2009267921.tif 000007
【図６】
2009267921.tif 000008